(57)【特許請求の範囲】
【請求項１】
絶縁性を有する流路形成面により形成されて導電性を有する液体が流れる流路であって、さらに、前記液体が排出される排出部を備えた液体流路と、
前記流路形成面に配置された動作電極と、
この動作電極を覆うように前記流路形成面に配置された絶縁層であって、前記液体流路内の液体と前記動作電極の間の電位差が所定の限界電位差以上であるときには、その表面の撥液性は前記流路形成面の他の領域における撥液性と同等もしくはそれ以下であり、前記液体流路内の液体と前記動作電極の間の電位差が所定の限界電位差よりも小さいときには、その表面の撥液性が前記他の領域における撥液性よりも高くなる絶縁層と、
前記動作電極に対して、前記液体と前記動作電極の間の電位差が前記限界電位差以上となるような所定の第１電位と、前記液体と前記動作電極の間の電位差が前記限界電位差よりも小さくなるような所定の第２電位の何れか一方を選択的に付与する電位付与手段とを備え、
前記電位付与手段により前記動作電極に前記第１電位が付与されているときには、前記絶縁層の表面を含む前記液体流路の流路形成面の全域に前記液体が存在するとともに、前記排出部にメニスカスが形成されて液体が排出されない状態であり、
前記電位付与手段により前記動作電極の電位が前記第１電位から前記第２電位に切り換えられたときには、前記動作電極を覆っている前記絶縁層の表面に存在していた液体の一部が前記液体流路の前記排出部側へ移動して、液体が前記排出部から排出されるように構成されていることを特徴とする液体移送装置。
【請求項２】
前記液体流路内の液体に、前記排出部へ向かう方向に作用する圧力であって、前記排出部に形成される前記メニスカスを破壊する圧力よりも低い圧力を付与する圧力付与手段を有することを特徴とする請求項１に記載の液体移送装置。
【請求項３】
前記第２電位はグランド電位であることを特徴とする請求項１又は２に記載の液体移送装置。
【請求項４】
複数の前記液体流路と、これら複数の液体流路が共通に連通する共通流路とを備えていることを特徴とする請求項１〜３の何れかに記載の液体移送装置。
【請求項５】
前記共通流路の流路形成面に配置され、前記共通流路内の前記液体に直接接触する共通電極を有し、
前記電位付与手段は、前記共通電極の電位を、前記第１電位よりも前記第２電位に近い所定の第３電位に保持することを特徴とする請求項４に記載の液体移送装置。
【請求項６】
前記第３電位はグランド電位であることを特徴とする請求項５に記載の液体移送装置。
【請求項７】
前記複数の液体流路は、それらの流路形成面の撥液性と同等もしくはそれ以上に高い撥液性を有する第１撥液性領域により、それぞれ区画されていることを特徴とする請求項４〜６の何れかに記載の液体移送装置。
【請求項８】
前記排出部に連なる外表面に、前記液体流路の流路形成面よりも高い撥液性を有する第２撥液性領域が形成されていることを特徴とする請求項１〜７の何れかに記載の液体移送装置。
【請求項９】
前記液体流路の前記排出部に連なる部分は、前記排出部側ほど流路面積が狭くなる先細り形状に形成されていることを特徴とする請求項１〜８の何れかに記載の液体移送装置。
【請求項１０】
前記液体流路の、前記動作電極を挟んで前記排出部と反対側の部分には、流路面積が局所的に狭くなる絞り部が設けられていることを特徴とする請求項１〜９の何れかに記載の液体移送装置。
【請求項１１】
前記個別電極及び前記絶縁層は、前記流路形成面の前記排出部に連なる領域に配置されていることを特徴とする請求項１〜１０の何れかに記載の液体移送装置。
【請求項１２】
前記液体流路内の液体を大気から遮断するカバー部材が設けられていることを特徴とする請求項１〜１１の何れかに記載の液体移送装置。
【請求項１３】
前記個別電極及び前記絶縁層の前記排出部と反対側の輪郭線は、前記液体流路の幅方向に対して傾斜方向が互いに逆となる２種類の直線が、前記幅方向に交互に並べられたジグザグ形状に形成されていることを特徴とする請求項１〜１２の何れかに記載の液体移送装置。
【発明の詳細な説明】
【技術分野】
【０００１】
本発明は、導電性を有する液体を移送して排出する液体移送装置に関する。
【背景技術】
【０００２】
記録用紙等の被記録媒体にインクを排出して画像等を記録する形式のプリンタには、ノズルから被記録媒体へ向けてインクを噴射するインクジェット方式の記録ヘッドが一般的に採用されている。しかし、このようなインクジェット方式の記録ヘッドにおいては、インクに噴射圧力を発生させるための流路構造やアクチュエータの構造が特殊で複雑なものとなり、そのために、複数のノズルを高密度に配置して記録ヘッドの小型化を図るにも限界があった。
【０００３】
そこで、本願発明者は、ある電極の表面を絶縁層が覆っている状態で、電極電位が変化したときに絶縁層表面における撥液性（濡れ角）が変化する現象（エレクトロウェッティング現象）を利用した、新しい方式の記録ヘッドを提案している（例えば、特許文献１参照）。この記録ヘッドは、複数の凹溝でそれぞれ形成された複数の個別流路を備えている。そして、各個別流路の流路形成面（凹溝の底面）には個別電極が設けられており、さらに、個別電極の表面は絶縁層で覆われている。また、ヘッド内のインクはグランド電位（接地電位）に保持された共通電極に接触しており、インクの電位は常にグランド電位となっている。さらに、個別流路の上流側には、その先端の排出部に向けてインクを加圧するポンプが設けられている。
【０００４】
ここで、個別電極の電位がグランド電位であり、インクと個別電極との間に電位差がない状態では、それらの間に挟まれた絶縁層の表面における撥液性（濡れ角）は、凹溝底面の絶縁層が設けられていない領域と比べて高くなっている。そのため、インクが絶縁層の表面を越えて排出部へ流れることができず、排出部からインクが排出されない。一方、個別電極の電位がグランド電位とは異なる所定の電位に切り換えられたときには、インクと個別電極との間に電位差が生じて、それらの間に挟まれた絶縁層の表面における撥液性（濡れ角）が低下する（エレクトロウェッティング現象）。すると、ポンプにより加圧されたインクが、絶縁層の表面を濡らして排出部へ移動することができるようになり、排出部からインクが排出される。
【０００５】
【特許文献１】特開２００５−２８８８７５号公報
【発明の開示】
【発明が解決しようとする課題】
【０００６】
前述した特許文献１に記載された記録ヘッドにおいては、所定電位が個別電極に付与されている間ずっと、インクが排出部から排出され続ける。つまり、排出部から排出されるインクの量は、個別電極に所定電位が付与されている時間に依存することになる。そのため、個別電極の電位をグランド電位と所定電位との間で切り換えるタイミングによって排出されるインクの量が変動してしまうことになる。
【０００７】
本発明の目的は、一定量の液体を安定的に排出することが可能な液体移送装置を提供することである。
【課題を解決するための手段及び発明の効果】
【０００８】
第１の発明の液体移送装置は、絶縁性を有する流路形成面により形成されて導電性を有する液体が流れる流路であって、さらに、前記液体が排出される排出部を備えた液体流路と、前記流路形成面に配置された動作電極と、この動作電極を覆うように前記流路形成面に配置された絶縁層であって、前記液体流路内の液体と前記動作電極の間の電位差が所定の限界電位差以上であるときには、その表面の撥液性は前記流路形成面の他の領域における撥液性と同等もしくはそれ以下であり、前記液体流路内の液体と前記動作電極の間の電位差が所定の限界電位差よりも小さいときには、その表面の撥液性が前記他の領域における撥液性よりも高くなる絶縁層と、前記動作電極に対して、前記液体と前記動作電極の間の電位差が前記限界電位差以上となるような所定の第１電位と、前記液体と前記動作電極の間の電位差が前記限界電位差よりも小さくなるような所定の第２電位の何れか一方を選択的に付与する電位付与手段とを備え、前記電位付与手段により前記動作電極に前記第１電位が付与されているときには、前記絶縁層の表面を含む前記液体流路の流路形成面の全域に前記液体が存在するとともに、前記排出部にメニスカスが形成されて液体が排出されない状態であり、前記電位付与手段により前記動作電極の電位が前記第１電位から前記第２電位に切り換えられたときには、前記動作電極を覆っている前記絶縁層の表面に存在していた液体の一部が前記液体流路の前記排出部側へ移動して、液体が前記排出部から排出されるように構成されていることを特徴とするものである。
【０００９】
この液体移送装置において、電位付与手段により動作電極に第１電位が付与されているときには、液体流路内の液体と動作電極の間の電位差が所定の限界電位差以上となっており、絶縁層の撥液性は流路形成面の他の領域と比べて同等もしくはそれ以下まで低下している、そのため、絶縁層の表面を含めた液体流路全域に液体が存在することになるが、排出部にはメニスカスが形成されており、液体が排出部から排出されない状態である。この状態から、電位付与手段により動作電極の電位が第１電位から第２電位に切り換えられると、液体流路内の液体と動作電極の間の電位差が所定の限界電位差よりも小さくなり、絶縁層の撥液性は流路形成面の他の領域よりも高くなる。すると、絶縁層の表面に存在していた液体の一部が排出部側に移動して、排出部から液体が押し出される。
【００１０】
この構成によれば、動作電極の電位が第１電位から第２電位に切り換えられたときに、絶縁層の表面から排出部側へ移動する液体の量にほぼ等しい量だけ、排出部から液体が排出されることになる。そのため、電位切り換えのタイミングに関わらず液体の排出量がほぼ一定となるため、一定量の液体を安定的に排出することが可能になる。
【００１１】
第２の発明の液体移送装置は、前記第１の発明において、前記液体流路内の液体に、前記排出部へ向かう方向に作用する圧力であって、前記排出部に形成される前記メニスカスを破壊する圧力よりも低い圧力を付与する圧力付与手段を有することを特徴とするものである。この構成によれば、動作電極に第２電位が付与されて排出部から液体が排出された後に、再び動作電極に第１電位が付与されたときに、圧力付与手段により付与された圧力の作用で絶縁層の表面に速やかに液体が移動するため、同じ排出部から連続的にインクを排出することが容易になる。
【００１２】
尚、前述した第１又は第２の発明において、さらに、前記第２電位はグランド電位であることが好ましい（第３の発明）。この場合には、動作電極の電位が第１電位と第２電位の間で切り換えられたときの、液体と動作電極の間の電位差の変化量、即ち、絶縁層表面の撥液性（濡れ角）の変化量が大きくなるため、一連の排出動作を確実に行わせることができる。
【００１３】
第４の発明の液体移送装置は、複数の前記液体流路と、これら複数の液体流路が共通に連通する共通流路とを備えていることを特徴とするものである。この構成によれば、容積の大きな共通流路を介して複数の液体流路へ安定的に液体が供給される。
【００１４】
第５の発明の液体移送装置は、前記第４の発明において、前記共通流路の流路形成面に配置され、前記共通流路内の前記液体に直接接触する共通電極を有し、前記電位付与手段は、前記共通電極の電位を、前記第１電位よりも前記第２電位に近い所定の第３電位に保持することを特徴とするものである。この構成によれば、液体流路内の液体の電位が常に第３電位に保持されて、液体と動作電極の間の電位差が安定するため、液体の排出動作を確実に行わせることができる。
【００１５】
尚、この第５の発明において、さらに、前記第３電位はグランド電位であることが好ましい（第６の発明）。この場合には、動作電極に第１電位が付与されたときの液体と動作電極の間の電位差が大きくなるため、一連の排出動作を確実に行わせることができる。
【００１６】
第７の発明の液体移送装置は、前記第４〜第６の何れかの発明において、前記複数の液体流路は、それらの流路形成面の撥液性と同等もしくはそれ以上に高い撥液性を有する第１撥液性領域により、それぞれ区画されていることを特徴とするものである。この構成によれば、隣接する液体流路間で、第１撥液性領域を越えて液体が移動することがない。また、複数の液体流路を隔てる隔壁が不要になり、液体流路の配置密度をさらに高めてより一層の装置の小型化が可能になる。
【００１７】
第８の発明の液体移送装置は、前記第１〜第７の何れかの発明において、前記排出部に連なる外表面に、前記液体流路の流路形成面よりも高い撥液性を有する第２撥液性領域が形成されていることを特徴とするものである。この構成によれば、第２撥液性領域により、排出部から排出された液体が排出部に連なる外表面に付着するのが防止されることから、排出部のメニスカスが安定する。
【００１８】
第９の発明の液体移送装置は、前記第１〜第８の何れかの発明において、前記液体流路の前記排出部に連なる部分は、前記排出部側ほど流路面積が狭くなる先細り形状に形成されていることを特徴とするものである。この構成によれば、排出部から排出される液体を何らかの媒体に付着させる場合に、最初に媒体に接触する部分を小さく限定できることから、媒体上の所望の位置に液体をより正確に付着させることができる。
【００１９】
第１０の発明の液体移送装置は、前記第１〜第９の何れかの発明において、前記液体流路の、前記動作電極を挟んで前記排出部と反対側の部分には、流路面積が局所的に狭くなる絞り部が設けられていることを特徴とするものである。この構成によれば、絞り部により上流側（排出部と反対側）の流路抵抗が大きくなるため、動作電極に第２電圧が付与されたときに、絶縁層の表面から排出部側へより多くの液体を移動させることができ、１回の排出動作における液体の排出量を大きくすることができる。
【００２０】
第１１の発明の液体移送装置は、前記第１〜第１０の何れかの発明において、前記個別電極及び前記絶縁層は、前記流路形成面の前記排出部に連なる領域に配置されていることを特徴とするものである。この構成によれば、液体を確実に排出部から排出することができる。
【００２１】
第１２の発明の液体移送装置は、前記第１〜第１１の何れかの発明において、前記液体流路内の液体を大気から遮断するカバー部材が設けられていることを特徴とするものである。この構成によれば、カバー部材により液体の乾燥を抑制することができる。
【００２２】
第１３の発明の液体移送装置は、前記第１〜第１２の何れかの発明において、前記個別電極及び前記絶縁層の前記排出部と反対側の輪郭線は、前記液体流路の幅方向に対して傾斜方向が互いに逆となる２種類の直線が、前記幅方向に交互に並べられたジグザグ形状に形成されていることを特徴とするものである。この構成によれば、絶縁層の表面の撥液性が流路形成面の他の領域よりも低くなったときに、上流側（排出部と反対側）から絶縁層の表面へ速やか液体が移動する。
【発明を実施するための最良の形態】
【００２３】
次に、本発明の実施の形態について説明する。本実施形態は、記録用紙へインクを移送して記録するプリンタ（液体移送装置）に本発明を適用した一例である。以下、図１における前後左右の方向を前後左右と定義して説明する。
【００２４】
図１に示すように、本実施形態のプリンタ１００は、記録用紙Ｐ（図４〜図７参照）にインクを排出して画像等を記録する記録ヘッド１と、この記録ヘッド１にチューブ５を介して接続されたインクタンク２と、図示しない紙送り機構による記録用紙Ｐの搬送動作や記録ヘッド１によるインク排出動作等、プリンタ１００の種々の動作の制御を司る制御装置３（図３参照）を有する。そして、プリンタ１００は、記録ヘッド１の複数の排出部１６から、それらの前方において搬送される記録用紙Ｐに向けてそれぞれインクを排出して、記録用紙Ｐに所望の画像を記録する。尚、本実施形態の記録ヘッド１で用いられるインクは、水を主成分とし、染料と溶剤を添加した水系染料インク、又は、顔料と溶剤を添加した水系顔料インクなどの、導電性を有するインクである。
【００２５】
次に、記録ヘッド１について説明する。図１に示すように、記録ヘッド１はその外郭を構成するヘッド本体１０を有する。さらに、ヘッド本体１０は、左右に長い矩形平板状の基板１１と、この基板１１の後側部分においてその上面を覆うように配設された箱状体１２とを備えている。
【００２６】
ヘッド本体１０には、水平面に沿って延び、且つ、導電性を有するインクが流れるインク流路１３が形成されている。このインク流路１３は、基板１１の上面と箱状体１２により形成され、左右方向に延びる共通流路１４と、基板１１の前端側部分の上面に形成され、共通流路１４から分岐して前方へそれぞれ延びる複数の個別流路１５（液体流路）とを有する。複数の個別流路１５の先端（前端）にはそれぞれ複数の排出部１６が設けられており、図１に示すように、複数の排出部１６は基板１１の前端面において左右方向に一列に形成されている。尚、ヘッド本体１０は、ガラス材料、アルミナやジルコニアなどのセラミックス材料、ポリイミドなどの合成樹脂材料、あるいは、表面に酸化膜（ＳｉＯ２）が形成されたシリコン等からなり、少なくとも基板１１の上面（共通流路１４及び個別流路１５の流路形成面）において絶縁性を有する。
【００２７】
図２、図３に示すように、共通流路１４は、複数の個別流路１５の後側に配置され、これら複数の個別流路１５の全てに連通している。また、共通流路１４はインクタンク２（図１参照）と接続されており、インクタンク２に貯留されているインクを容積の大きい共通流路１４を介して複数の個別流路１５へ安定的にインクを供給できるようになっている。尚、本実施形態では、インクタンク２内のインク液面高さは、共通流路１４内のインク液面高さとほぼ同じとなっており、インク流路１３内のインクには、インクタンク２のヘッド圧がほとんど作用していない。つまり、インクには、排出部１６へ向かう圧力は作用していない。また、共通流路１４を形成する基板１１の後側部分上面（流路形成面）には、幅方向のほぼ全域に亙って延びる平面視矩形状の共通電極１７が形成されている。また、図３に示すように、この共通電極１７は、駆動回路であるドライバＩＣ２０と電気的に接続されており、このドライバＩＣ２０を介してグランド電位に保持されている。そして、図４〜図７に示すように、共通流路１４内の導電性のインクはこの共通電極１７に接触しており、インクの電位は常にグランド電位（第３電位）に保持されている。
【００２８】
図２、図３に示すように、複数の個別流路１５は、基板１１の上面に突出状に形成された隔壁２１により互いに隔てられており、上方に開放されるとともに先端の排出部１６を介して前方にも開放されている。これら複数の個別流路１５の流路形成面である基板１１の前側部分上面（以下、底面２３と表現する場合もある）には、平面視で略矩形状の複数の個別電極１８（動作電極）がそれぞれ形成されている。各個別電極１８は、個別流路１５の幅方向に関してほぼ全域に亙って形成されている。また、図３に示すように、複数の個別電極１８は、後述のドライバＩＣ２０と電気的に接続されており、このドライバＩＣ２０から所定の電位が付与されるようになっている。
【００２９】
尚、以上説明した共通電極１７と複数の個別電極１８は、スクリーン印刷、スパッタ法、あるいは、蒸着法等の方法により、基板１１の上面に形成される。
【００３０】
さらに、基板１１の上面（底面２３）の個別電極１８が配置された領域には、フッ素系樹脂等からなる絶縁層１９が、個別電極１８の表面を完全に覆うように配置されている。尚、図２に示すように、個別電極１８及び絶縁層１９は排出部１６から少し後方へ離れた位置に配置されている。また、絶縁層１９は、例えば、フッ素系樹脂等をスピンコート法や化学蒸着法などにより個別電極１８の表面に形成される。ここで、この絶縁層１９の表面における撥液性（濡れ角）は、絶縁層１９の上側に位置するインクと絶縁層１９の下側に位置する個別電極１８との間の電位差によって変化する（エレクトロウェッティング現象）。
【００３１】
インクと個別電極１８の間の電位差が所定の電位差ΔＶ（限界電位差）以上であるときには、絶縁層１９の表面における撥液性は、個別流路１５の流路形成面である底面２３のうちの、絶縁層１９が形成されていない他の領域における撥液性と同等もしくはそれ以下となる。一方、インクと個別電極１８の間の電位差が限界電位差ΔＶよりも小さいときには、絶縁層１９の表面における撥液性は、底面２３の他の領域における撥液性よりも高くなる。これについては、次のドライバＩＣ２０の説明においてさらに詳細に説明する。
【００３２】
次に、ドライバＩＣ２０（電位付与手段）について説明する。図３に示すように、ドライバＩＣ２０は、共通電極１７及び複数の個別電極１８とそれぞれ接続されている。そして、ドライバＩＣ２０は、インクと接触する共通電極１７を常にグランド電位（第３電位）に保持するとともに、絶縁層１９の下側に位置する複数の個別電極１８に対して、所定の電位Ｖ（第１電位）とグランド電位（第２電位）の何れか一方を選択的に付与することが可能に構成されている。
【００３３】
このドライバＩＣ２０により、個別電極１８の電位が所定電位Ｖとグランド電位との間で切り換えられたときの記録ヘッド１の作用を、図４〜図７を参照して詳しく説明する。尚、図５及び図７において、“＋”は個別電極１８の電位が所定電位Ｖである状態を示し、一方、“ＧＬＤ”は個別電極１８又は共通電極１７の電位がグランド電位である状態を示している。
【００３４】
所定電位Ｖは、インクの電位との差が前述した限界電位差ΔＶ以上となるように設定される。つまり、ドライバＩＣ２０により、ある個別流路１５の個別電極１８に所定電位Ｖが付与されているときには、グランド電位であるインクと個別電極１８の間の電位差が限界電位差ΔＶ以上となる。このとき、絶縁層１９の表面における撥液性は、個別流路１５の流路形成面である底面２３のうちの、絶縁層１９が形成されていない他の領域における撥液性と同等もしくはそれ以下となっている。そのため、図４、図５に示すように、絶縁層１９の表面を含む底面２３の全域にインクＩが存在することになる。但し、個別流路１５の先端の排出部１６にはインクＩのメニスカスが形成されており、さらに、個別流路１５内のインクＩにはインクタンク２のヘッド圧など排出部１６へ向かう圧力が付与されていないため、個別電極１８の電位が所定電位Ｖに保持されている限り、排出部１６のメニスカスが破壊されてインクＩが排出部１６から排出されることはない。
【００３５】
このように個別電極１８に所定電位Ｖが付与された状態から、ドライバＩＣ２０により個別電極１８の電位がグランド電位に切り換えられると、インクと個別電極１８の間の電位差が０となり、限界電位差ΔＶよりも小さくなる。そのため、絶縁層１９の表面における撥液性は、底面２３の他の領域における撥液性よりも高くなる。すると、図６、図７に示すように、絶縁層１９の表面に存在していたインクＩが、個別流路１５の上流側と下流側にそれぞれ移動する。そして、このように、個別流路１５の下流側（排出部１６側）へインクが移動すると、絶縁層１９と排出部１６の間に存在していたインクＩが排出部１６から外部へ押し出されて、インクＩが記録用紙Ｐへ向けて排出される。
【００３６】
次に、制御装置３について説明する。制御装置３は、中央処理装置であるＣＰＵ（Central Processing Unit）と、プリンタ１００の全体動作を制御する為の各種プログラムやデータ等が格納されたＲＯＭ（Read Only Memory）と、ＣＰＵで処理されるデータ等を一時的に記憶するＲＡＭ（Random Access Memory）等を備えている。そして、この制御装置３は、ＰＣ等の外部入力装置から入力される印字データに基づいて所定の排出部１６からインクを排出させるようにドライバＩＣ２０を制御したり、あるいは、記録用紙Ｐの搬送を行う紙送り機構（図示省略）を制御するなど、プリンタ１００の各種動作を制御するように構成されている。
【００３７】
次に、記録ヘッド１による一連のインク排出動作について説明する。
まず、ＰＣ等の外部入力装置から制御装置３に対して印字データが入力されていないときには、図４、図５に示すように、ドライバＩＣ２０により全ての個別電極１８に対して所定電位Ｖが付与されており、インクと個別電極１８との間の電位差が限界電位差ΔＶ以上となっている。このとき、絶縁層１９の表面における撥液性は、底面２３の他の領域における撥液性と同等もしくはそれ以下であることから、インクが絶縁層１９の表面を含む底面２３の全域に亙って存在する待機状態となっている。
【００３８】
この待機状態において、外部入力装置から制御装置３に対して印字データが入力されると、制御装置３から、ドライバＩＣ２０に対して所定の個別流路１５の排出部１６からインクを排出させるように指令が出力される。すると、図６、図７に示すように、ドライバＩＣ２０により、インクを排出すべき排出部１６に連なる個別流路１５に対応する個別電極１８の電位が、所定電位Ｖからグランド電位に切り換えられ、インクと個別電極１８との間の電位差が限界電位差ΔＶよりも小さくなる（ほぼ０となる）。このとき、絶縁層１９の表面における撥液性が、底面２３の他の領域における撥液性よりも高くなるため、この絶縁層１９の表面にインクが存在できなくなる。そのため、図６、図７に矢印で示すように、絶縁層１９の表面から上流側（後方：共通流路１４側）と下流側（前方：排出部１６側）へそれぞれインクが移動する。すると、排出部１６と絶縁層１９の間に存在するインクが前方へ押し出されて排出部１６のメニスカスが破壊され、所定量のインクが排出部１６から排出される。ここで、排出部１６から排出されるインクの量は、個別電極１８の電位が所定電位Ｖからグランド電位に切り換えられたときに、絶縁層１９の表面から排出部１６側へ移動するインクの量にほぼ等しい。
【００３９】
そして、排出部１６から所定量のインクが排出されると、排出部１６には再びメニスカスが形成されて、それ以上のインクが排出されなくなる。その後、ドライバＩＣ２０により、個別電極１８の電位が再びグランド電位から所定電位Ｖに切り換えられると、絶縁層１９の表面の撥液性が底面２３の他の領域の撥液性と同等もしくはそれ以下まで低下する。そのため、個別流路１５の上流側から絶縁層１９の表面へインクが流れ込み、インクが絶縁層１９の表面を含む個別流路１５の全域に亙って存在する待機状態に戻る。
【００４０】
本実施形態のプリンタ１００によれば、次のような効果が得られる。
排出部１６から排出されるインクの量は、個別電極１８の電位が所定電位Ｖからグランド電位に切り換えられたときに、絶縁層１９の表面から排出部１６側へ移動するインクの量にほぼ等しい。従って、電位切り換えのタイミングに関わらずインクの排出量がほぼ一定となることから、一定量のインクを安定的に排出することができる。
【００４１】
インクを排出するときに個別電極１８に付与される電位（第２電位）がグランド電位であることから、個別電極１８の電位が切り換えられたときの、インクと個別電極１８との間の電位差の変化量、即ち、絶縁層１９表面の撥液性（濡れ角）の変化量が大きくなり、一連の排出動作がより確実に行われる。
【００４２】
共通流路１４の流路形成面である基板１１の後側部分上面に共通電極１７が形成されており、共通流路１４内のインクは常に共通電極１７に接触していることから、インクの電位が安定し、インクの排出動作が確実に行われる。さらに、共通電極１７の電位（第３電位）がグランド電位であることから、個別電極１８に所定電位Ｖが付与されたときの、インクと個別電極１８との間の電位差が大きくなり、一連の排出動作を一層確実に行わせることができる。
【００４３】
次に、前記実施形態に種々の変更を加えた変更形態について説明する。但し、前記実施形態と同様の構成を有するものについては、同じ符号を付して適宜その説明を省略する。
１］インク流路１３内のインクに圧力が常に付与されていてもよい（変更形態１）。例えば、インクタンク２が、その内部のインク液面が記録ヘッド１内のインク流路１３のインク液面よりも常に高くなるように配置されており、インク流路１３内のインクにインクタンク２のヘッド圧が常に作用して、インクに排出部１６へ向かう圧力が付与されていてもよい。あるいは、図８に示すように、インクタンク２と記録ヘッド１の間に、インクに排出部１６へ向かう圧力を付与するポンプ３０が設けられていてもよい。あるいは、インク流路１３が、水平面に対して排出部１６（前方）へ向かうほど下方へ傾斜しており、インクに作用する重力によってインクに排出部１６へ向かう圧力が付与されていてもよい。尚、この変更形態１において、インクにヘッド圧を作用させるインクタンク２、インクを加圧するポンプ、及び、傾斜したインク流路１３が、それぞれ本願発明の圧力付与手段に相当する。
【００４４】
但し、本来はインクが排出されてはいけない状態である、個別電極１８に所定電位Ｖが付与されている状態において、前述したような圧力付与手段により付与された圧力によって、排出部１６のメニスカスが破壊されてインクが漏れ出してしまうことがないように、インクに付与される圧力はメニスカスを破壊する圧力よりも低くなるように設定される。例えば、インクタンクの高さやポンプの吐出圧、あるいは、インク流路１３の傾斜度等を調整することにより、インクに付与される圧力が適切に設定される。
【００４５】
このような構成によれば、個別電極１８の電位が所定電位Ｖからグランド電位に切り換えられて、排出部１６からインクが排出された後に、再び個別電極１８の電位が所定電位Ｖに切り換えられたときに、圧力付与手段により付与された圧力の作用でインクが絶縁層１９の表面に速やかに移動することになり、１つの排出部１６から連続的にインクを排出することが容易になる。
【００４６】
あるいは、インクタンク２内のインク液面をインク流路１３よりも低くするなどして、インク流路１３内のインクに、排出部１６と反対側（後方）へ向かう圧力が付与されてもよい。この場合には、本来はインクが排出されてはいけない状態である、個別電極１８に所定電位Ｖが付与されている状態において、排出部１６に形成されたメニスカスがその周囲に付着した異物などによって前進して、記録用紙Ｐを汚してしまうのを防止することができる。
【００４７】
以上説明した変更形態１の具体例を挙げると、例えば、排出部１６の寸法が７０μｍ×２０μｍである場合には、インク流路１３のインクに、水頭差で−５０ｍｍ〜＋５０ｍｍ（−５００Ｐａ〜＋５００Ｐａ程度）の範囲の圧力が付与されていることが好ましい。
【００４８】
２］図９に示すように、排出部１６Ｂに連なる個別流路１５Ｂの先端部が、排出部１６Ｂ側ほど流路面積が狭くなる先細り形状に形成されていてもよい（変更形態２）。この構成によれば、記録用紙Ｐに最初に接触するインクの部分を小さく限定できることから、排出部１６Ｂから排出されるインクを、記録用紙Ｐ上の所望の位置に、より正確に付着させることができる。
【００４９】
３］図１０に示すように、個別流路１５Ｃの、個別電極１８を挟んで排出部１６と反対側に位置する、共通流路１４との連通部に、流路面積が局所的に狭くなる絞り部３１が設けられていてもよい（変更形態３）。この構成によれば、絞り部３１が設けられた上流側（排出部１６と反対側）部分の流路抵抗が大きくなる。そのため、個別電極１８の電位が所定電位Ｖからグランド電位に切り換えられたときに、絶縁層１９の表面から、上流の共通流路１４側よりも下流の排出部１６側へより多くのインクが移動することになり、１回の排出動作において排出部１６からより多くのインクを排出することができるようになる。
【００５０】
４］図１１、図１２に示すように、個別電極１８及び絶縁層１９が、底面２３の、排出部１６に連なる（隣接する）領域に配置されていてもよい（変更形態４）。この構成によれば、インクをより確実に排出部１６から排出することができる。
【００５１】
５］個別流路１５内のインクを大気から遮断する部材が設けられていてもよい。例えば、図１３に示すように、ヘッド本体１０Ｅが、基板１１とこの基板１１の上面を覆うように配置されたカバー部材４０とを有し、カバー部材４０により共通流路１４と個別流路１５内のインクが上方から覆われて、大気から遮断されていてもよい（変更形態５）。この構成によれば、インクがカバー部材４０で覆われているために、インクの乾燥が確実に抑制される。尚、カバー部材４０の、個別電極１８及び絶縁層１９の直上に位置する部分には、呼吸孔４０ａがこのカバー部材４０を上下に貫通するように形成されている。そのため、絶縁層１９の表面においてインクが移動する際に、呼吸孔４０ａを介して個別流路１５とカバー部材４０の外部との間で空気が行き来できることになり、絶縁層１９の表面におけるインクの移動が円滑に行われる。ここで、個別流路１５内のインクが毛管力により呼吸孔４０ａの内部に侵入しないように、呼吸孔４０ａの内面の濡れ角は９０度以上であることが好ましい。具体的には、カバー部材４０をフッ素系樹脂などの撥液性の高い材料で構成したり、あるいは、呼吸孔４０ａの内面にＣＶＤ（化学蒸着）等の方法によりフッ素系樹脂などからなる撥液性の高い層を形成すればよい。
【００５２】
６］あるいは、図１４に示すように、ヘッド本体１０Ｆは、基板１１と、箱状体１２Ｅと、個別流路を流れるインクから上方へ離れて設けられたカバー部材４１とを有し、個別流路１５の上方の空間がカバー部材４１により大気と遮断されていてもよい（変更形態６）。この場合には、カバー部材４１と個別流路１５内のインクとの間に空気が存在しているため、絶縁層１９の表面においてインクが移動したときのカバー部材４１内の内圧変動は小さい。そのため、前述の変更形態５（図１３）とは異なり、カバー部材４１に呼吸孔が設けられている必要は特になく、個別流路１５の上方空間を完全に密閉することができ、インクの乾燥がさらに抑制される。また、カバー部材４１で密閉された空間の内圧変動をさらに小さく抑えるためには、カバー部材４１をポリイミド等の可撓性を有する膜部材で形成して、カバー部材４１に内圧変動を吸収させることが好ましい。一方、カバー部材４１で密閉された空間の容積が大きく、その内圧変動が十分に小さい場合には、強度等を重視して、カバー部材４１に剛性がより高い材料を使用してもよい。
【００５３】
７］図１５に示すように、個別電極１８Ｇ及び絶縁層１９Ｇの後側（排出部１６と反対側）の輪郭線がジグザグ形状、即ち、個別流路１５の幅方向に対して傾斜方向が互いに逆となる２種類の直線が、幅方向に交互に並べられた形状に形成されていてもよい（変更形態７）。この構成によれば、基板１１の上面の、絶縁層１９Ｇの後端部が配置されている領域においては、前方に向かうほど絶縁層１９Ｇの面積が増加している。つまり、絶縁層１９Ｇの表面と絶縁層１９Ｇが設けられていない領域の撥液性が異なっている場合であっても、これらの境界において撥液性が急激に変化せず、個別流路１５の流路方向（前後方向）に関して撥液性が徐々に変化した状態となっており、メニスカス耐力が低下している。そのため、絶縁層１９Ｇの表面の撥液性が低下したときに、個別流路１５の上流側から絶縁層１９Ｇの表面へ速やかにインクが移動できるようになる。
【００５４】
８］図１６、図１７に示すように、個別流路１５の排出部１６に連なる基板１１の前端面（外表面）に、個別流路１５の流路形成面である底面２３よりも高い撥液性を有する撥液膜４２（第２撥液性領域）が形成されていてもよい（変更形態８）。この構成によれば、撥液膜４２により、排出部１６から排出されたインクが、排出部１６に連なる基板１１の前端面に付着して濡らすのが防止されることから、排出部１６のメニスカスが安定する。
【００５５】
９］複数の個別流路１５は隔壁２１（図１、図２参照）で区画されている必要は必ずしもなく、基板１１の上面に形成された撥液膜により区画されていてもよい（変更形態９）。例えば、図１８に示すように、記録ヘッド５１の基板１１の上面には、左右両端及び後端の縁に沿って形成された撥液膜４４と、基板１１の前端から後方へ平行に延びる複数の撥液膜４５とが形成されている。これら撥液膜４４，４５の撥液性は、基板１１の上面と同等かそれ以上となっている。そして、撥液膜４４に囲われた領域が共通流路１６となっており、さらに、複数の撥液膜４５により共通流路１６からそれぞれ前方へ延びる複数の個別流路１５が区画されている。この構成によれば、隣接する個別流路１５間で、撥液膜４５を越えてインクが移動することがない。また、複数の個別流路１５を隔てる隔壁２１が不要になるため、個別流路１５の配置密度をさらに高めて、記録ヘッドのより一層の小型化が可能になる。尚、排出部１６に連なる基板１１の前端面には、前記変更形態８と同様に、基板１１の上面と同等かそれ以上の撥液性を有する撥液膜４２が形成されていることが好ましい。
【００５６】
１０］前記実施形態では、ドライバＩＣ２０は、個別電極１８に対して、所定電位Ｖ（第１電位）とグランド電位（第２電位）の何れか一方を付与するように構成されているが、ドライバＩＣが、これら２つの電位に加えて、さらに別の電位を個別電極１８に付与するものであってもよい。
【００５７】
また、前記実施形態では、共通電極１７は常にグランド電位に保持されているが、グランド電位以外の別の電位に保持されていてもよい。また、インクを排出する際の個別電極１８の電位もグランド電位以外の別の電位に切り換えられてもよい。但し、インクを排出しないときのインクと個別電極１８との間の電位差は、インクを排出するときの電位差よりも大きくなっていることが必要であるため、共通電極１７の電位（第３電位）は、インクを排出しないときの個別電極１８の電位（第１電位）よりも、インクを排出するときの個別電極１８の電位（第２電位）に近くなるように設定される。
【００５８】
１１］前記実施形態では、個別電極１８に所定電位Ｖが付与されていない状態で、絶縁層１９の表面における撥液性が、基板１１の上面（底面２３）そのものの撥液性よりも高くなっているが、底面２３の絶縁層１９が形成されていない領域に、絶縁層１９よりも撥液性の低い絶縁材料の被膜が施されることによって、絶縁層１９の表面における撥液性が、底面２３の絶縁層１９が形成されていない他の領域における撥液性よりも高くなっていてもよい。
【００５９】
以上説明した実施形態及びその変更形態は、インクを記録用紙へ移送して記録するプリンタに本発明を適用した一例であるが、インク以外の液体を移送して排出する他の液体移送装置にも本発明を適用することも可能である。例えば、金属ナノ粒子を分散した導電性液体を基板に転写して配線パターンを形成する装置、ＤＮＡを分散した溶液を用いてＤＮＡチップを製造する装置、有機化合物などのＥＬ発光材料を分散した溶液を用いてディスプレイパネルを製造する装置、カラーフィルタ用顔料が分散された液体を用いて液晶ディスプレイ用のカラーフィルタを製造する装置などにも本発明を適用することができる。
【００６０】
また、これらの液体移送装置に用いられる液体は、液体自体が導電性のものである場合に限られず、絶縁性の液体に導電性の添加剤を分散させて、導電性の液体と同様に導電性を有するようにしたものであってもよい。
【００６１】
さらに、本発明は、複数の排出部から液体をそれぞれ排出可能なものに限られず、１つの排出部を備えた１つの液体流路を有し、その１つの排出部のみから液体を排出する液体移送装置にも適用可能である。
【図面の簡単な説明】
【００６２】
【図１】本発明の実施形態に係るプリンタの概略構成図である。
【図２】記録ヘッドの横断面図である。
【図３】図２のIII-III線断面図である。
【図４】インクを排出していない状態における記録ヘッドの横断面図である。
【図５】図４のV-V線断面図である。
【図６】インクを排出している状態における記録ヘッドの横断面図である。
【図７】図６のVII-VII線断面図である。
【図８】変更形態１に係るプリンタの一例の概略構成を示す図である。
【図９】変更形態２の記録ヘッドの横断面図である。
【図１０】変更形態３の記録ヘッドの横断面図である。
【図１１】変更形態４の記録ヘッドの横断面図である。
【図１２】図１１のXII-XII線断面図である。
【図１３】変更形態５の図３相当の断面図である。
【図１４】変更形態６の図３相当の断面図である。
【図１５】変更形態７の記録ヘッドの横断面図である。
【図１６】変更形態８の記録ヘッドの横断面図である。
【図１７】図１６のXVII-XVII線断面図である。
【図１８】変更形態９のプリンタの概略構成図である。
【符号の説明】
【００６３】
１，５１  記録ヘッド
２  インクタンク
１１  基板
１４  共通流路
１５，１５Ｂ，１５Ｃ  個別流路
１６  共通流路
１６，１６Ｂ  排出部
１７  共通電極
１８，１８Ｇ  個別電極
１９，１９Ｇ  絶縁層
２０  ドライバＩＣ
３０  ポンプ
３１  絞り部
４０  カバー部材
４１  カバー部材
４２  撥液膜
４４，４５  撥液膜
１００  プリンタ
【図１】
0004774977.tif 000002
【図２】
0004774977.tif 000003
【図３】
0004774977.tif 000004
【図４】
0004774977.tif 000005
【図５】
0004774977.tif 000006
【図６】
0004774977.tif 000007
【図７】
0004774977.tif 000008
【図８】
0004774977.tif 000009
【図９】
0004774977.tif 000010
【図１０】
0004774977.tif 000011
【図１１】
0004774977.tif 000012
【図１２】
0004774977.tif 000013
【図１３】
0004774977.tif 000014
【図１４】
0004774977.tif 000015
【図１５】
0004774977.tif 000016
【図１６】
0004774977.tif 000017
【図１７】
0004774977.tif 000018
【図１８】
0004774977.tif 000019